(57)【要約】    【課題】受信機からの指示で行われる火災感知器の自動試験に要する時間を大幅に短縮する。    【解決手段】受信機１から引き出された感知器回線２−１〜２−３に、受信機１の試験命令部１４から指示により試験動作を実行して試験結果を応答する自動試験部を備えた火災感知器３−１〜３−４を接続する。受信機１の試験命令部１４は、ある火災感知器に試験開始を指示してから試験終了となる以前に、他の火災感知器に試験開始を指示する。受信機１は、系統毎に分けて引出された感知器回線２−１〜２−３に自動試験機能を備えた火災感知器を接続しており、試験命令部１４は、ある火災感知器に試験開始を指示してから試験終了となる以前に、同一系統又は別系統の信号線に接続している他の火災感知器に試験開始を指示する。    【選択図】      図１
2006048211.tif 000002
【特許請求の範囲】
【請求項１】
受信機又は中継器から引き出された信号線に、前記受信機又は中継器の試験命令部からの指示により試験動作を実行して試験結果を応答する自動試験部を備えた火災感知器を接続した火災報知システムに於いて、
前記受信機又は中継器の試験命令部は、ある火災感知器に試験開始を指示してから試験終了となる以前に、他の火災感知器に試験開始を指示することを特徴とする火災報知システム。
【請求項２】
請求項１記載の火災報知システムに於いて、
前記受信機又は中継器は、系統毎に分けて引出された信号線に自動試験機能を備えた前記火災感知器を接続しており、
前記試験命令部は、ある火災感知器に試験開始を指示してから試験終了となる以前に、同一系統の信号線に接続している他の火災感知器に試験開始を指示することを特徴とする火災報知システム。
【請求項３】
請求項１記載の火災報知システムに於いて、
前記受信機又は中継器は、系統毎に分けて引出された信号線に自動試験機能を備えた前記火災感知器を接続しており、
前記試験命令部は、ある火災感知器に試験開始を指示してから試験終了となる以前に、他の系統の信号線に接続している他の火災感知器に試験開始を指示することを特徴とする火災報知システム。
【請求項４】
請求項１記載の火災報知システムに於いて、
前記受信機又は中継器は、系統毎に分けて引出された信号線に自動試験機能を備えた前記火災感知器を接続しており、
前記試験命令部は、ある火災感知器に試験開始を指示してから試験終了となる以前に、同一系統の信号線に接続している他の火災感知器に試験開始を指示すると共に、他の系統の信号線に接続している他の火災感知器に試験開始を指示することを特徴とする火災報知システム。
【請求項５】
請求項１記載の火災報知システムに於いて、
前記火災感知器は、火災を感知した際に受信機又は中継器から引出された信号線間をスイッチングして発報電流を流すオンオフ型火災感知器であり、
前記受信機又は中継器は、火災感知器による信号線の発報電流を検出して信号線単位に火災発生を警報する受信機であり、
前記受信機又は中継器の試験命令部は、受信機又は中継器から引出された試験線に接続された前記火災感知器に試験電圧信号を出力して順次試験動作を行わせ、試験による発報電流を受信して正常感知器と判断し、試験による発報電流を受信しない場合は障害感知器と判断して前記信号線に強制復旧電圧信号を出力し、
前記火災感知器の自動試験部は、前記試験命令部からの試験電圧信号を受信して試験動作を行い、試験により発報した場合は次の火災感知器に前記試験電圧信号を出力し、試験により発報しない場合は前記試験命令部からの強制復旧電圧信号を受信して試験動作を復旧すると共に次の火災感知器に前記試験電圧信号を出力することを特徴とする火災報知システム。
【請求項６】
請求項１記載の火災報知システムに於いて、
前記火災感知器は、受信機からのコマンドに基づいて検出データのサンプリングと応答を行うデータ伝送機能を備えた火災感知器であり、
前記受信機は、一定周期毎に全火災感知器を対象にサンプルコマンドを送信して検出データをサンプリングさせた後に、感知器アドレスを順次指定したポーリングコマンドを送信してサンプリングされた検出データを応答させて火災を判断する受信機であり、
前記受信機の試験命令部は、アドレスを指定した試験コマンドを火災感知器に送信して試験動作を行わせ、続いてサンプリングコマンドを送信して試験動作で得られた試験検出データをサンプリングし、続いてアドレスを指定したポーリングコマンドを送信して試験検出データと試験動作により火災判断を応答させた後に試験終了コマンドを送信し、
前記火災感知器の自動試験部は、前記試験命令部からの自己アドレスを指定した試験コマンドを受信して試験動作を行い、続いてサンプリングコマンドを受信して試験動作で得られた試験検出データをサンプリングして保持し、続いて自己アドレスを指定したポーリングコマンドを受信して試験検出データを応答し、更に自己アドレスを指定したポーリングコマンドを受信して前記試験検出データから火災を判断して試験発報を応答することを特徴とする火災報知システム。
【発明の詳細な説明】
【技術分野】
【０００１】
本発明は、受信機から引き出された信号線に複数の火災感知器を接続して火災を監視する火災報知システムに関し、特に、受信機からの試験指示により火災感知器の自動試験を行って試験結果を応答する火災報知システムに関する。
【背景技術】
【０００２】
従来、Ｐ型として知られた火災報知システムにあっては、受信機から引き出された感知器回線に複数の火災感知器を接続し、回線単位に火災感知器からの発報信号を受信して火災を警報するようにしている。
【０００３】
一方、Ｒ型として知られた火災報知システムにあっては、受信機から引き出された伝送路に、伝送機能を備えた中継器やアナログ火災感知器等の端末装置を接続し、火災検出時には例えば端末装置からの火災割込みに基づき、検索コマンドを発行して発報した端末装置のアドレスを特定し、火災発生アドレスを表示すると共に、特定した端末装置から火災データを収集して監視するようにしている。
【０００４】
このような火災報知システムにあっては、火災感知器に自動試験機能を設け、受信機からの指示で自動試験を行い、試験動作で正常な試験応答が得られなかった火災感知器を障害感知器と判定して受信機で感知障害を警報表示し、障害感知器の交換修理が適切にできることで、システムの信頼性を保証している。
【特許文献１】特開平５−６４９３
【特許文献２】特開平７−２３０５８５
【特許文献３】特開平６−２７４７８０
【発明の開示】
【発明が解決しようとする課題】
【０００５】
しかしながら、このような従来の火災報知システムにあっては、受信機からの指示で火災感知器の自動試験を行う場合、1台の火災感知器の自動試験が終了した後に次の火災感知器の自動試験を行うようにしており、時間がかかり過ぎる問題があった。
【０００６】
図２０は従来の火災報知システムの概略であり、受信機１１０から例えばＡ系統、Ｂ系統およびＣ系統の３系統に分けて信号線１１２が引き出され、それぞれ自動試験機能付きの火災感知器１１１を複数接続している。
【０００７】
このような従来の火災報知システムの自動試験は、図２１のタイムチャートのように、例えば各系統に四台の火災感知器１１１を接続していたとすると、Ａ系統につきアドレス１〜４の順、Ｂ系統につきアドレス１〜４の順、Ｃ系統につきアドレス１〜４の順というように１台ずつ順番に自動試験を行っている。
【０００８】
このような火災感知器の自動試験は、例えばＲ型の火災報知システムの場合、試験コマンド送信による自動試験開始、サンプルコマンドによる試験検出データのサンプリングと保持、複数回のサンプリングによる火災判断、ポーリングコマンドによる試験検出データの応答、試験検出データにより火災と判断できた場合のポーリングコマンドによる試験発報の応答といった手順をとるため、火災感知器1台の自動試験に数秒程度かかる。そして中規模程度のシステムであっても、受信機に接続される火災感知器の数は数百台となり、そのためシステム全体の火災感知器の自動試験に３０分を超える時間がかかる問題がある。
【０００９】
この点は、Ｐ型の火災報知システムでも同様に受信機に接続される火災感知器の数は数百台となり、そのためシステム全体の火災感知器の自動試験にかなりの時間がかかる問題がある。
【００１０】
本発明は、受信機からの指示で行われる火災感知器の自動試験に要する時間を大幅に短縮するようにした火災報知システムを提供することを目的とする。
【課題を解決するための手段】
【００１１】
この目的を達成するため本発明は次のように構成する。
【００１２】
本発明は、受信機又は中継器から引き出された信号線に、受信機又は中継器の試験命令部からの指示により試験動作を実行して試験結果を応答する自動試験部を備えた火災感知器を接続した火災報知システムに於いて、受信機又は中継器の試験命令部は、ある火災感知器に試験開始を指示してから試験終了となる以前に、他の火災感知器に試験開始を指示することを特徴とする。
【００１３】
ここで、受信機又は中継器は、系統毎に分けて引出された信号線に自動試験機能を備えた前記火災感知器を接続しており、試験命令部は、ある火災感知器に試験開始を指示してから試験終了となる以前に、同一系統の信号線に接続している他の火災感知器に試験開始を指示する。
【００１４】
また受信機又は中継器は、系統毎に分けて引出された信号線に自動試験機能を備えた火災感知器を接続しており、試験命令部は、ある火災感知器に試験開始を指示してから試験終了となる以前に、他の系統の信号線に接続している他の火災感知器に試験開始を指示する。
【００１５】
更に、受信機又は中継器は、系統毎に分けて引出された信号線に自動試験機能を備えた前記火災感知器を接続しており、試験命令部は、ある火災感知器に試験開始を指示してから試験終了となる以前に、同一系統の信号線に接続している他の火災感知器に試験開始を指示すると共に、他の系統の信号線に接続している他の火災感知器に試験開始を指示する。
【００１６】
本発明をＰ型システムとした場合、本発明で使用する火災感知器は、火災を感知した際に受信機又は中継器から引出された信号線間をスイッチングして発報電流を流すオンオフ型火災感知器であり、受信機は、火災感知器による信号線の発報電流を検出して信号線単位に火災発生を警報する受信機又は中継器である。
【００１７】
また受信機又は中継器の試験命令部は、受信機又は中継器から引出された試験線に接続された火災感知器に試験電圧信号を出力して順次試験動作を行わせ、試験による発報電流を受信して正常感知器と判断し、試験による発報電流を受信しない場合は障害感知器と判断して前記信号線に強制復旧電圧信号を出力する。
【００１８】
更に、火災感知器の自動試験部は、試験命令部からの試験電圧信号を受信して試験動作を行い、試験により発報した場合は次の火災感知器に試験電圧信号を出力し、試験により発報しない場合は試験命令部からの強制復旧電圧信号を受信して試験動作を復旧すると共に次の火災感知器に試験電圧信号を出力する。
【００１９】
本発明をＲ型システムとした場合、本発明で使用する火災感知器は、受信機からのコマンドに基づいて検出データのサンプリングと応答を行うデータ伝送機能を備えた火災感知器であり、受信機は、一定周期毎に全火災感知器を対象にサンプルコマンドを送信して検出データをサンプリングさせた後に、感知器アドレスを順次指定したポーリングコマンドを送信してサンプリングされた検出データを応答させて火災を判断する受信機である。
【００２０】
また受信機の試験命令部は、アドレスを指定した試験コマンドを火災感知器に送信して試験動作を行わせ、続いてサンプリングコマンドを送信して試験動作で得られた試験検出データをサンプリングし、続いてアドレスを指定したポーリングコマンドを送信して試験検出データと試験動作により火災判断を応答させた後に試験終了コマンドを送信する。
【００２１】
更に火災感知器の自動試験部は、試験命令部からの自己アドレスを指定した試験コマンドを受信して試験動作を行い、続いてサンプリングコマンドを受信して試験動作で得られた試験検出データをサンプリングして保持し、続いて自己アドレスを指定したポーリングコマンドを受信して試験検出データを応答し、更に自己アドレスを指定したポーリングコマンドを受信して試験検出データから火災を判断して試験発報を応答する。
【発明の効果】
【００２２】
本発明によれば、ある火災感知器に試験を開始させて終了する前に他の火災感知器の試験を開始させることで、複数の火災感知器の試験動作を並行して行うことで、多数の火災感知器の自動試験に必要とする時間を大幅に短縮することができる。
【００２３】
例えば二台の火災感知器の自動試験を並行して行えば、従来に比べ試験時間を概ね半分の時間に短縮でき、更に並行して自動試験を行う火災感知器の数を増やすことで、更なる時間短縮ができる。
【００２４】
また系統毎に信号線が分けて引き出されている場合には、系統毎に独立した自動試験が可能であることから、系統毎に分けて順次もしくは同時に並行して自動試験を行うことで、複数系統であっても、概ね１系統について並行して自動試験を行ったと同じ時間で全系統の自動試験を終了できる。
【発明を実施するための最良の形態】
【００２５】
図１は本発明が適用されたＰ型火災報知システムのブロック図である。図１において、受信機１からは感知器回線２−１，２−２，２−３が引き出され、それぞれ自動試験部を備えた火災感知器３−１，３−２，３−４を終端抵抗Ｒと共に接続している。感知器回線２−１〜２−３に接続される火災感知器３−１〜３−４としては、煙感知器、熱感知器などの各種の火災感知器を接続することができる。
【００２６】
尚、この実施形態にあっては説明を簡単にするため受信機１から感知器回線２−１〜２−３には４台の火災感知器３−１〜３−４を接続した場合を例にとっているが、実際のＰ型火災感知報知設備にあっては、感知器回線１回線あたりに接続できる火災感知器の台数は、例えば３２台あり、また受信機１に接続できる感知器回線の系統は、例えば２０系統というように大規模なシステムとなる。
【００２７】
受信機１からは、試験回線４−１，４−２，４−３が引き出されている。試験回線４−１〜４−３は試験線Ｔとループバック線ＬＢで構成される。例えば試験回線４−１を例にとると、試験線Ｔは感知器回線２−１に接続している４台の火災感知器３−１〜３−４に設けられた自動試験部として機能する後の説明で明らかにする点検回路に接続されている。
【００２８】
受信機１にはＭＰＵ５が設けられ、ＭＰＵ５に対しては操作部８、警報表示部９、地区表示部１０、移報出力部１１及びメモリ１２が設けられている。ＭＰＵ５の感知器回線側には回線単位に受信回路部６−１，６−２，６−３が設けられ、それぞれ感知器回線２−１〜２−３が引き出されている。またＭＰＵ５の感知器回線側には試験制御部７−１，７−２，７−３が設けられ、それぞれ試験回線４−１，４−２，４−３が引き出されている。
【００２９】
受信回路部６−１〜６−３は感知器回線２−１〜２−３に接続している火災感知器３−１〜３−４の火災発報により送信される発報電流を受信し、発報受信信号をＭＰＵ５に出力する。受信回路部６−１〜６−３に対応してＭＰＵ５には受信制御部１３がプログラム制御による機能として設けられている。
【００３０】
受信制御部１３は受信回路部６−１〜６−３の発報受信信号を順次読込み、回線単位に火災を判別して警報表示、即ち火災代表表示と地区表示（発報回線表示）を行なう。
【００３１】
試験制御部７−１〜７−３はＭＰＵ５にプログラム制御の機能として設けられた試験命令部１４からの試験指示を受けて試験線Ｌに対し、例えば２４Ｖの試験電圧信号を出力する。例えば試験制御部７−１を例にとると、試験制御部７−１が試験回線４−１の試験線Ｔに対し２４Ｖの試験電圧信号を出力すると、この試験電圧信号は、まず火災感知器３−１に供給され、火災感知器３−１に設けている自動試験部としての点検回路が動作し、火災検出動作に相当する擬似火災検出としての試験動作を行なう。
【００３２】
試験動作により火災感知器３−１が試験発報すると、火災検出時と同様、感知器回線２−１に対し発報信号が出力され、これを受信回路部６−１で受信してＭＰＵ５に出力することで、ＭＰＵ５の試験命令部１４は感知器回線２−１の最初の火災感知器３−１が正常に試験発報したことを判別する。
【００３３】
火災感知器３−１で試験発報が行なわれて試験動作が正常に終了すると、試験発報に基づいて火災感知器３−１の点検回路が試験回線４−１をバイパスするスイッチ切替えを行い、これによって次の火災感知器３−２に２４Ｖの試験電圧信号が供給され、自動試験が行われる。そして最後の火災感知器３−４で正常に試験動作が行なわれると、ループバック線ＬＢに試験電圧信号が送出され、これが試験制御部７−１に戻ってくることで試験回線４−１に接続している４台の火災感知器３−１〜３−４の試験終了を確認できる。なお、試験制御部７−１による火災感知器３−１〜３−４の試験動作は予め定めた複数回連続して行なわれる。
【００３４】
本発明の試験命令部１４にあっては、Ａ系統、Ｂ系統、Ｃ系統の３系統に分けて引き出された感知器回線２−１〜２−３に接続された火災感知器３−１〜３−４について、例えば感知器回線２−１のＡ系統の火災感知器３−１〜３−４に試験開始を指示してから試験終了となる以前に、他の系統である例えばＢ系統の感知器回線２−２に接続している火災感知器３−１〜３−４に試験開始を指示するようにしている。
【００３５】
即ち、試験命令部１４は、試験動作の際にはまず試験制御部７−１に試験開始を命令した後、その試験終了となる前に試験制御部７−２に試験開始を指示し、さらに試験制御部７−２で試験終了となる前に試験制御７−３に試験開始を指示する。その結果、試験制御部７−１〜７−３による火災感知器３−１〜３−４の試験動作が並行して実行されることになる。
【００３６】
また試験命令部１４による火災感知器の試験は、
（１）受信機１の電源投入によるパワーオンスタート時、
（２）一定時間ごと、例えば１日１回の定期試験、
（３）保守試験時の点検操作
のいずれかによって行なわれる。
【００３７】
図２は図１の自動試験機能付の火災感知器の実施形態を示した回路ブロック図であり、散乱光式の煙感知器を例にとっている。図２において、火災感知器３は整流回路・ノイズ吸収回路１５、スイッチング回路１６、定電圧・電流制限回路１７、作動表示灯２４、制御回路部１８、発振回路１９、発光素子２０、受光素子２１、増幅回路２２及び比較回路２３で構成される。
【００３８】
ここで整流回路・ノイズ吸収回路１５は、例えばダイオードブリッジ、ツェナーダイオート、コンデンサなどにより回線Ｌ、Ｃ間の電流を無極性化し、さらにノイズを抑える。定電圧・電流制限回路１７は回線Ｌ，Ｃ上の過電流を防止するための後段の回路部に対する供給電流を一定値に制限する。
【００３９】
通常監視時、発振回路１９により発光素子２０がパルス駆動され周期的に発光される。火災により煙が発生すると発光素子２０からの光は散乱して受光素子２１で光電流に変換され、増幅回路２２で信号増幅された後、比較回路２３に入力される。
【００４０】
比較回路２３は入力した信号が規定値を超えている場合、発光素子２０に同期して制御回路部１８でカウントを行い、所定カウント数に達した時に火災発報信号をスイッチング回路１６に出力する。
【００４１】
スイッチング回路１６は制御回路部１８からの火災発報信号に基づいてスイッチングし、回線Ｌ、Ｃ間に発報電流を流すことで受信機１に対し火災発報信号を送信する。
【００４２】
火災感知器３には自動試験機能を実現するため、試験スイッチ部２５と点検回路２７が設けられている。試験スイッチ部２５は抵抗Ｒ１、レンジスタＱ１、抵抗Ｒ２及び試験用発光素子２６で構成され、点検回路２７からの試験電圧信号を入力してトランジスタＱ１をオンし、試験用発光素子２６を発光駆動するようにしている。
【００４３】
試験用発光素子２６からの光は試験光として直接受光素子２１に入射され試験光により火災と判断されるプリアラームに相当する散乱光の受光状態を擬似的に作り出している。
【００４４】
点検回路２７は、スイッチ回路２８、２９、発報検出回路３０及び強制復旧回路３１で構成されている。スイッチ回路２８は受信機１側からの入力試験線Ｔｉｎを接続し、受信機１側から出力された２４Ｖの試験電圧信号を受けると、試験スイッチ部２５に試験電圧信号を出力してトランジスタＱ１をオンすることで試験用発光素子２６の点灯で試験動作を行なう。
【００４５】
試験スイッチ部２５が正常に動作すれば、試験光による受光素子２１からの受光信号を増幅回路２２で増幅して比較回路２３で規定値と比較すると、受光信号は規定値を超えることで比較回路２３が出力し、制御回路部１８で発振回路１９による所定回数のカウントが行なわれたときに火災検出時と同様、試験に伴う発報検出信号をスイッチング回路１６に出力し、スイッチング回路１６が回線Ｌ，Ｃ間をスイッチングし、試験発報を検出する火災発報信号を受信機に送出する。
【００４６】
また試験により火災発報信号を出力したスイッチング回路１６の出力は点検回路２７の発報検出回路３０に与えられており、発報検出回路３０が試験発報を検出するとスイッチ回路２９を動作し、スイッチ回路２８に加わっている２４Ｖの試験信号電圧を次の火災感知器に対する出力試験線Ｔｏｕｔに出力する。
【００４７】
また発報検出回路３０による試験発報検出が行なわれると、この検出出力はスイッチ回路２８にも与えられ、スイッチ回路２８から試験スイッチ部２５に対する試験電圧信号の出力が停止され、火災感知器３の試験動作を停止する。
【００４８】
強制復旧回路３１は試験スイッチ部２５による試験作動により正常に試験発報が行なわれなかった場合の強制復旧を行なう。この強制復旧は受信機１のＭＰＵ５に設けている試験命令部１４に設けたタイマによる時間監視に基づいて行なわれる。即ち図１の受信機の試験命令部１４にあっては火災感知器の試験開始と同時にタイマを起動し、タイマの設定時間以内に試験発報があればタイマをリセットして再スタートするが、設定時間に達する前に試験発報がなかった場合には試験を行なっている火災感知器の障害と判断し、試験制御部から試験回線の試験線Ｔに対し、例えば３３Ｖの強制復旧電圧信号を出力する。
【００４９】
この受信機１から出力された強制復旧電圧信号を強制復旧回路３１が判別すると、スイッチ回路２８，２９を試験発報の際と同様に動作し、入力した２４Ｖの試験電圧信号をスイッチ回路２８，２９を介して次の火災感知器に送出すると共に、試験スイッチ部２５に対する試験電圧信号の出力を停止する。
【００５０】
図３は図１のＭＰＵ５に設けた試験命令部１４による火災感知器の自動試験動作の実施形態のタイムチャートである。
【００５１】
図３においては、図１の感知器回線２−１の系統をＡ系統、感知器回線２−２の系統をＢ系統、感知器回線２−３の系統をＣ系統とし、また各感知回線２−１〜２−３に接続した４台の火災感知器３−１〜３−４のそれぞれをアドレス１〜４として示している。尚、アドレス１〜４は説明の都合上設定したものであり、実際に火災感知器にアドレスが割当てられているわけではない。
【００５２】
図３において、試験命令部１４は、まずＡ系統に対し２４Ｖの試験電圧信号を出力し、このため時刻ｔ１からアドレス１で示す最初の火災感知器３−１の自動試験が開始される。この自動試験は図２に示した点検回路２７及び試験スイッチ部２５によって行なわれ、試験動作が正常に行なわれて試験発報が行なわれるとアドレス１の自動試験が終了し、次のアドレス２の火災感知器３−２の自動試験が行われ、以下同様にしてアドレス３、アドレス４の火災感知器３−３，３−４の自動試験が行われる。
【００５３】
一方、試験命令部１４は時刻ｔ１でＡ系統に試験開始を指示すると同時に、Ａ系統の試験が終了する前に引き続いて時刻ｔ２でＢ系統に対し２４Ｖの試験制御電圧を出力して試験を開始させる。これによりＢ系統となる感知回線２−２に接続しているアドレス１〜４で示す感知器回線３−１〜３−４が順次自動試験を行う。
【００５４】
更に試験命令部１４はＢ系統の試験終了以前に時刻ｔ３でＣ系統となる感知器回線２−３に対し２４Ｖの試験電圧信号を出力してアドレス１〜４で示す感知器回線３−１〜３−４の自動試験を行なわせる。
【００５５】
このような感知器回線で決まる系統につき、ある系統の試験開始を指示した後、試験が終了する前に次の系統に対し試験開始を指示することで、複数系統を並行して火災感知器の試験動作を行なうことができ、トータル的な試験時間を大幅に短縮することができる。
【００５６】
図４は図１の試験命令部による火災感知器の自動試験動作の他の実施形態のタイムチャートであり、試験命令部１４は時刻ｔ１でＡ系統、Ｂ系統及びＣ系統の全てに対し試験動作の開始を指示することを特徴とする。このように全系統について同時に試験開始を指示すれば、図３のように順次試験開始を指示した場合に比べ、更に全体的な試験時間を短縮することができる。
【００５７】
図５は図２の火災感知器３に設けた点検回路２７による試験動作のタイムチャートである。図５において、時刻ｔ１で図５（Ａ）のように受信機１の試験命令部１４より試験命令信号が出力されると、図５（Ｄ）のように試験線Ｔに対し２４Ｖの試験電圧信号が出力される。
【００５８】
この２４Ｖの試験電圧信号によりまずアドレス１の火災感知器が時刻ｔ２で試験発報し、続いて復旧動作が行なわれる。この復旧動作のタイミングで受信機側に設けているタイマがリセットされ、再度スタートする。
【００５９】
アドレス１の感知器復旧により２４Ｖの試験電圧信号は次のアドレス２の火災感知器に供給され、時刻ｔ３で試験発報が行なわれた後に復旧する。次にアドレス３の火災感知器に２４Ｖの試験電圧信号が供給されて、試験動作が開始された後、試験発報が感知器障害により行われなかったとする。
【００６０】
この場合にはタイマが設定時間Ｔを経過した時刻ｔ４で図５（Ｄ）で示す２４Ｖの試験電圧信号に重畳して３３Ｖの強制復旧信号を試験線Ｔに出力する。これによって試験発報しなかったアドレス３の火災感知器の強制復旧が行なわれ、次のアドレス４の火災感知器に２４Ｖの試験電圧信号が供給される。
【００６１】
アドレス４の火災感知器が正常に試験動作を行なって試験発報及び復旧動作を時刻ｔ５，ｔ６で行なうと、この復旧動作のタイミングで図５（Ｅ）に示すように受信機１に対しループバック線ＬＢによりループバック電圧が戻り、これによって受信機１は１回の感知器試験動作が終了したことを認識し、試験動作を複数回設定することから次のアドレス１からの自動試験を同様にして行なうことになる。
【００６２】
図６は図１の受信機１に対する受信機処理のフローチャートである。図６において、電源投入に伴いステップＳ１で初期設定が行なわれ後、ステップＳ２で試験の有無をチェックしており、試験でない通常時にあってはステップＳ３で回線発報を監視している。回線発報を判別した場合にはステップＳ４に進み、代表火災表示と回線に対応した地区表示を行なう。火災警報処理後はステップＳ５で火災復旧処理をチェックしており、火災復旧処理が行なわれるとステップＳ２に戻ってステップＳ２，ステップＳ３の回線発報の監視を行なう。
【００６３】
一方、受信機１の電源投入に伴うパワーオンスタート時、１日１回といった定期試験、或いは保守点検でのスイッチ動作などによる試験をステップＳ２で判別するとステップＳ６に進み、図３または図４のタイムチャートに示したように、複数の回線系統に対し重複して試験開始を指示する。
【００６４】
図７は図６のステップＳ６による試験制御処理のフローチャートである。図７において、試験命令部は試験制御部を介してステップＳ１で試験電圧を試験線Ｔに出力し、ステップＳ２でタイマをスタートする。続いてステップＳ３で試験発報の有無をチェックしており、試験発報があればステップＳ１０で正常感知器と判別する。
【００６５】
ステップＳ３で試験発報がなかった場合にはステップＳ４で設定時間到達をチェックしており、設定時間に到達しても試験発報がなかった場合にはステップＳ５に進み、強制復旧電圧信号を試験線Ｔに出力して試験動作中の火災感知器を強制復旧させる。そしてステップＳ６で現在試験中の感知器を障害感知器と判別する。
【００６６】
ステップＳ１０の正常感知器の判定またはステップＳ６の障害感知器の判定が済むとステップＳ７でループバック線ＬＢによるループバック応答をチェックしており、ループバック応答が無かった場合にはステップＳ２に進み、再度タイマをスタートして第２の火災感知器に対する試験制御を行なう。
【００６７】
感知器回線に出力している最後の火災感知器の試験が終了するとループバック線ＬＢから２４Ｖの信号電圧が受信されることから、これによってステップＳ７でループバック応答を判別し、ステップＳ８で設定試験回数をチェックし、設定試験回数に達していなければステップＳ２に戻って最初から試験動作を行なわせる。設定試験回数に達していた場合にはステップＳ８からステップＳ９に進み、試験電圧の出力を停止して一連の試験制御を終了する。
【００６８】
尚、図１のＰ型の火災報知システムに設けている火災感知器３−１〜３−４の自動試験機能として図２の点検回路２７による自動試験を例にとるものであったが、本発明はこれに限定されず、受信機１からの試験信号により同じ感知回線に接続されている火災感知器を順番に試験動作するものであれば適宜の自動試験部を使用することができる。受信機１から火災感知器に送る試験信号は、感知回線を介して各火災感知器に送るようにしてもよい。
【００６９】
図８は本発明が適用されたＲ型火災報知システムのブロック図である。図８において、受信機４０から引き出された伝送路４１−１，４１−２，４１−３に対しては、それぞれアナログ火災感知器４２−１，４２−２，・・・４２−４と終端抵抗Ｒを接続している。
【００７０】
なお図８の実施形態にあっては、説明を簡単にするため、受信機４０からＡ系統、Ｂ系統、Ｃ系統として伝送路４１−１〜４１−３を３系統について引き出し、各系統についてアナログ火災感知器４２−１〜４２−４を４台ずつ接続した場合を例に取っている。もちろん実際のＲ型システムにあっては、受信機４０から適宜の数の伝送路が複数系統として引き出され、また各系統に接続できるアナログ火災感知器の数はアナログ火災感知器に設定可能なアドレス例えば１２７台接続できる。
【００７１】
また図８の実施形態にあっては、端末としてアナログ火災感知器を例にとっているが、これ以外にアドレス設定により転送機能を備えたオン、オフ火災感知器を感知器回線に接続している感知器用中継器や、地区ベル防排煙機器などの制御負荷を制御線に接続している制御用中継器などを接続することもできる。
【００７２】
受信機４０にはＭＰＵ４８が設けられ、ＭＰＵ４８に対しては、操作部５１警報表示部５２、地区表示部５３、移報出力部５４、メモリ５５が設けられている。またＭＰＵ４８の伝送路側には、伝送路４１−１〜４１−３単位に伝送部５０−１，５０−２，５０−３が設けられ、ＭＰＵ４８からの指示のもとにアナログ火災感知器４２−１〜４２−４との間で火災監視及び試験制御に必要な情報のやり取りを行っている。
【００７３】
受信機４０のＭＰＵ４８には、プログラム制御により実行される呼出制御部５６、割込処理部５７及び試験命令部５８が設けられている。これに対応してアナログ火災感知器側には、伝送路４１−１のアナログ火災感知器４２−１に代表して示すように、呼出応答部４４、割込制御部４５及び試験制御部４６が設けられている。
【００７４】
受信機４０の呼出制御部５６は、伝送路４１−１〜４１−３ごとに各端末に対し一連の端末アドレスを設定しており、例えばアドレス１〜１２７の１２７アドレスが使用可能である。受信機４０の呼出制御部５６は、端末アドレスを含むポーリングコマンドを使用して一定周期ごとに端末を順次呼び出し、端末情報を応答送信させるポーリングを行っている。
【００７５】
受信機４０の呼出制御部５６からのポーリングコマンドは火災感知器４２−１の呼出応答部４４で受信され、ポーリングコマンドに含まれる呼出アドレスと自己の端末アドレスとの照合一致が得られたときに、そのときメモリに保持している端末情報を端末応答信号として受信機４０に送信する。
【００７６】
ここで受信機４０から端末に送信するポーリングコマンドは、コマンドフィールド、アドレスフィールド及びチェックサムで構成される。また端末からの応答信号は、データフィールドとチェックサムで構成される。このポーリングコマンド及び応答信号の伝送フォーマットは必要に応じて適宜の構成をとることができる。
【００７７】
更に受信機４０の呼出制御部５６は端末アドレスを指定したポーリング処理とは無関係に、一定周期で全端末に対し、検出信号をＡＤ変換によりサンプリングしてメモリに同時刻で保持するためのサンプリングコマンド（一括ＡＤ変換コマンド）を送信する。このサンプリングコマンド（一括ＡＤ変換コマンド）は例えば１秒間隔で送信する。
【００７８】
アナログ火災感知器４２−１の呼出応答部４４は、受信機４０からのサンプリングコマンドを判別すると、そのときの火災検出部による検出信号をＡＤ変換して、メモリに検出データとして記憶保持する。メモリに記憶保持された検出データは、受信機４０からの端末アドレスを指定したポーリングコマンドに対する応答信号の端末データとして送り返される。なおサンプリングコマンドによる検出信号の一括収集に限定されず、呼出信号を受けたときに検出信号をリアルタイムで端末データとして返送するようにしてもよい。
【００７９】
アナログ火災感知器４２−１に設けた割込制御部４５は、受信機４０からのサンプリングコマンドに基づいて検出した検出信号のＡＤ変換による検出データから火災を判断した場合には、火災発生を受信機４０に直ちに知らせるために割込信号を送信する。割込制御部４５による割込信号の送信は、受信機４０の呼出制御部５６からのポーリングコマンドに対する応答タイミングで端末のいずれかから送信された応答信号を破壊するブレーク信号を送信することで行われる。
【００８０】
ここで、受信機４０からアナログ火災感知器側に対するポーリングコマンドは電圧モードで送られており、一方、端末から受信機４０に対する応答信号は電流モードで送られている。このため割込制御部４５は、端末応答信号のタイミングで端末のいずれかから送信された応答信号を破壊するブレーク信号を電流信号として伝送路に送出する。
【００８１】
受信機４０に設けた割込処理部５７は、端末応答信号のタイミングで、通常の端末応答信号では得られない特異な信号例えばオール１を受信したときに、端末からの割込信号を受信したものと判断し、割込原因の詳細を得るために割込確認要求コマンドを送信する。
【００８２】
割込要求確認コマンドに対し、アナログ火災感知器４２−１の割込制御部４５は割込詳細情報を送り返す。端末からの割込詳細情報を入手した受信機４０の割込処理部５７は、割込信号を送出した端末を特定するためのグループ検索を開始する。グループ検索は、端末アドレスを所定のグループに分け、グループごとに検索コマンドを発行して、火災検出が行われた端末を含むグループを特定し、グループが特定できたならばグループ内の端末を順次呼び出して、火災を検出した端末を特定する。このグループ検索は、これ以外に２分法などで行ってもよい。
【００８３】
更に図８の受信機４０は、ＭＰＵ４８に試験命令部５８を設け、これに対応してアナログ火災感知器４２−１に試験制御部４６を設けている。受信機４０の試験命令部５８は、受信機４０の電源投入によるパワーオンスタート時、例えば１日１回といった定期的なタイミング、更には保守点検の際の操作部５１による試験指示の際に、アナログ火災感知器４２−１〜４２−４の自動試験に必要な試験動作を行う。
【００８４】
試験命令部５８は、まず端末に対する試験コマンドの送信に先立って割込禁止コマンドを送信し、また端末側の試験終了を確認すると割込禁止解除コマンドを送信する。アナログ火災感知器４２−１の試験制御部４６は、受信機４０からの割込禁止コマンドを受信すると、割込制御部４５による割込信号の送信機能を禁止する。
【００８５】
また割込禁止コマンドを受信すると、禁止状態にある割込制御部４５の割込信号の送信機能を回復させる。このため、受信機４０からの試験コマンドによりアナログ火災感知器４２−１の試験制御部４６が試験動作を行って擬似的な火災検出信号が得られても、割込制御部４５による割込信号の送信を行うことはない。
【００８６】
試験動作により得られた試験データは、受信機４０の呼出制御部５６からのサンプリングコマンドに基づきＡＤ変換されてメモリに記憶保持され、試験データについて所定の火災レベルを超えた場合に試験発報と判断し、受信機４０からのポーリングコマンドに対する端末応答データとして受信機４０に試験発報を送信し、試験命令部５８で試験発報の受信で試験作動が正常に行われたことが確認される。もし試験発報が受信されなければ、正常な試験作動が行われなかったとして、試験命令部５８は警報表示部５２に端末故障表示を行う。
【００８７】
ポーリングコマンドによりアナログ火災感知器４２−１の試験発報が確認されると、試験命令部５８はアナログ火災感知器４２−１の試験が終了したものと判断し、アナログ火災感知器４２−１の端末アドレスを指定して試験復旧コマンド及び割込禁止解除コマンドを送信する。
【００８８】
更に本発明の試験命令部５８にあっては、複数のアナログ火災感知器の自動試験を行う場合、あるアナログ火災感知器に試験開始を指示してから試験終了となる以前に他のアナログ火災感知器に試験開始を指示する。これによって複数のアナログ火災感知器の試験動作が並行して行われ、全てのアナログ火災感知器の試験に要する時間を短縮することができる。
【００８９】
図８のＲ型の火災報知システムにあっては、Ａ系統、Ｂ系統、Ｃ系統の３系統に分けて伝送路４１−１〜４１−３を引き出していることから、この場合には次のいずれかの試験動作を行う。
（１）あるアナログ火災感知器に試験開始を指示してから試験終了となる以前に、同一系統の伝送路に接続している他のアナログ火災感知器に試験開始を指示する。
（２）あるアナログ火災感知器に試験開始を指示してから試験終了となる以前に、他の系統の伝送路に接続している他のアナログ火災感知器に試験開始を指示する。
（３）あるアナログ火災感知器に試験開始を指示してから試験終了となる以前に、同一系統の伝送路に接続している他のアナログ火災感知器に試験開始を指示すると共に、他の系統の伝送路に接続している他のアナログ火災感知器に試験開始を指示する。
【００９０】
図９は図８のアナログ火災感知器４２−１〜４２−４の実施形態を示したブロック図であり、アナログ煙感知器を例に取っている。
【００９１】
図９において、アナログ火災感知器４２は、感知器ベース４２ａと感知器本体４２ｂで構成される。感知器ベース４２ａには発報表示灯回路６０が設けられ、端子Ｓ，Ｃに受信機４０からの信号線が接続される。感知器本体４２ｂは、無極性化する整流回路６１に続いてノイズ吸収回路６２及び伝送信号検出回路６３を設けている。伝送信号検出回路６３は、受信機４０からの電圧モードによる呼出信号を検出して伝送制御回路６６に出力する。
【００９２】
伝送制御回路６６にはＭＰＵが設けられ、図８のアナログ火災感知器４２−１に示した呼出応答部４４、割込制御部４５及び試験制御部４６の各機能がプログラム制御により実現されている。また伝送制御回路６６に対しては種別アドレス設定回路６７が設けられる。
【００９３】
煙検出部は、発光駆動回路６８、赤外線ＬＥＤ等を用いた発光素子６９、フォトダイオードを用いた受光素子７０及び増幅回路７１で構成される。発光素子６９は、例えば散乱光式の煙検出構造によって配置される。更に試験用発光素子７２が設けられ、所定の煙濃度に対応した光を直接、受光素子７０に照射して試験作動を行う。
【００９４】
伝送制御回路６６からの送信信号は応答信号出力回路６４に与えられ、通常の応答信号は電流モードで受信機４０側に送信される。また火災検出に基づく割込信号については、応答信号を受信機側でオール１とするようなブレーク電流信号を出力する。伝送制御回路６６は受信機４０からのサンプリングコマンドを受信すると、発光駆動回路６８により発光素子６９を発光駆動し、受光素子７０及び増幅回路７１より得られた受光信号をＡＤ変換してメモリに記憶保持する。
【００９５】
伝送制御回路６６のメモリに記憶保持されたアナログ検出データは、受信機４０からのアドレスを指定したポーリングコマンドが得られたときの応答信号のデータとして送信される。伝送信号検出回路６３で受信機４０からの試験コマンドを受信した場合には、発光駆動回路６８により試験用発光素子７２を駆動する。
【００９６】
試験用発光素子７２の発光駆動で発光素子７０及び増幅回路７１から得られた検出信号は、受信機４０からのサンプリングコマンドに基づくＡＤ変換により検出データとして伝送制御回路６６のメモリに記憶保持され、自己アドレスを指定した呼出信号によるポーリングコマンドに対する応答信号に試験データ或いは試験発報結果を入れて受信機４０に送信する。
【００９７】
更に伝送制御回路６６は、サンプリングコマンドに基づくＡＤ変換によりサンプリングしたアナログ検出データから火災を判断した場合には、呼出信号に対する応答タイミングで受信機４０に対し割込信号を送信する。
【００９８】
割込信号の送信は、試験動作の際には試験コマンドに先立って割込禁止コマンドが送られてくるため、試験動作においてＡＤ変換により得られたアナログ検出データが火災レベルを超えていても割込信号の送信は行わない。また試験動作が終了すると、受信機４０からの試験復旧コマンドを受けて試験動作が停止され、続いて割込禁止コマンドを受けて割込信号の送信機能が回復される。
【００９９】
図１０は図８の受信機４０に設けた試験命令部５８によるアナログ火災感知器に対する自動試験動作の実施形態のタイムチャートである。なお、図１０は図８におけるＡ系統、Ｂ系統、Ｃ系統のアナログ火災感知器４２−１〜４２−４について、それぞれアドレス１〜４として示している。
【０１００】
図１０における試験命令部５８による試験動作は、まずＡ系統である伝送路４０−１に接続したアナログ火災感知器４２−１のアドレス１を指定して試験コマンドを送信し、試験動作を行わせる。もちろん、試験コマンドの送信に先立ち割込禁止コマンドを送信する。
【０１０１】
試験コマンドの送信によりアドレス１の試験動作が行われ、試験動作が終了する前に次のアナログ火災感知器４２−２のアドレス２を指定して試験コマンドを発行する。以下同様に、アドレス２の試験終了前にアドレス３の試験コマンドを発行し、アドレス３の試験終了前にアドレス4の試験コマンドを発行する。これに続いてＢ系統、Ｃ系統についても、先行するアドレスの試験終了以前に次のアドレスの試験コマンドを順次発行する。
【０１０２】
図１１は図８の受信機４０に設けた試験命令部５８によるアナログ火災感知器に対する試験動作の他の実施形態のタイムチャートである。図１１の試験動作にあっては、Ａ系統、Ｂ系統、Ｃ系統の各系統に分けて順次、試験動作を行わせるようにしたことを特徴する。
【０１０３】
図１１の試験動作にあっては、まずＡ系統のアドレス１のアナログ火災感知器４２−１を指定して試験コマンドを発行することにより試験動作を開始させる。続いてＡ系統のアドレス２のアナログ火災感知器４２−２に対し、アドレス１の試験終了前に試験コマンドを発行して試験を開始させる。同時にＢ系統のアドレス１のアナログ火災感知器４２−１に対しても試験コマンドを発行して試験を開始させる。
【０１０４】
即ち図１１にあっては、Ａ系統のアドレス１のアナログ火災感知器の試験開始から終了前に、同じＡ系統のアドレス２のアナログ火災感知器の試験を開始すると共に、他系統としてのＢ系統のアドレス１のアナログ火災感知器の試験を開始させるようにしている。
【０１０５】
Ｂ系統のアドレス１のアナログ火災感知器につき、時刻ｔ１で試験が開始されると、その終了前の時刻ｔ３でＣ系統のアドレス１のアナログ火災感知器について試験を開始させ、同時に同じＢ系統のアドレス２のアナログ火災感知器についても試験を開始させる。以下同様に、各系統間及び同一系統で先行するアドレスの試験終了前に次のアドレスの試験を開始させる。
【０１０６】
図１２は図８の受信機４０に設けた試験命令部５８によるアナログ火災感知器の試験動作の他の実施形態のタイムチャートである。この図１２の実施形態にあっては、Ａ系統、Ｂ系統、Ｃ系統において、同一アドレスにつき同一タイミングで試験を開始させるようにしたことを特徴する。
【０１０７】
即ち図１１にあっては、Ａ系統、Ｂ系統、Ｃ系統の同一アドレスにつき、例えばアドレス１につき時刻ｔ１、時刻ｔ２、時刻ｔ３に示すように順次、試験動作を開始させているが、図１２にあってはＡ系統、Ｂ系統、Ｃ系統のアドレス１につき同じ時刻ｔ１で同時に試験を開始させ、各系統におけるアドレス２，３，４につき先行するアドレスの試験終了前に試験を開始させている。
【０１０８】
図１３は図８における受信機４０とＡ系統となる伝送路４１−１に接続しているアナログ火災感知器４２−１〜４２−４との間の通常監視の処理動作を示したタイムチャートである。
【０１０９】
図１３（Ａ）のように受信機４０はサンプリングコマンド（一括ＡＤ変換コマンド）８０を送信し、これに応じて図１３（Ｂ）（Ｃ）のようにアドレス１〜４を設定したアナログ火災感知器４２−１〜４２−４で一斉に火災検出信号をＡＤ変換によりサンプリングしてメモリに記憶保持するサンプリング８１−１〜８１−４が行われる。
【０１１０】
続いて受信機４０は、アドレス１，２，３，４を指定したポーリングコマンド８２−１，８２−２，８２−３，８２−４を順次送信し、これに対しアナログ火災感知器４２−１〜４２−４は自己アドレスとの一致を判別した際に、メモリに記憶保持している検出データを応答データ８３−１，８３−２，８３−３，８３−４として受信機４０に送信する。以下同様に、これを繰り返す。
【０１１１】
図１４は図８における火災発生時の処理動作を示したタイムチャートである。いま図１４（Ｂ）に示すようにアナログ火災感知器４２−１で受信機４０のサンプリングコマンド８０に対応したサンプリング８０−１の結果から火災判断８４が行われると、ポーリングコマンド８２−１に対する応答タイミングで受信機４０における受信データがオール１となるようなブレーク信号としての割込信号を送信する割込８５が行われる。
【０１１２】
なお、火災感知器は非火災報を防ぐため、サンプリングコマンド８１−１でサンプリングした出力値が所定の閾値を連続して所定回数超えている場合に火災と判断し、割込信号を送信する。
【０１１３】
この割込８５を受信した受信機４０にあっては、次のポーリングタイミングでグループ検索コマンド８６を送信し、これによって火災を判断したアナログ火災感知器４２−１においてグループ応答による割込８７が行われる。
【０１１４】
このグループ応答の割込８７を受けて受信機４０は、ポーリングコマンドのタイミングでグループ内の検索コマンド８８を送信し、これを受けてアナログ火災感知器４２−１は、火災を判断したアナログ火災感知器４２−１からの応答を行うグループ内応答としての割込８９を行う。この割込８９により受信機４０は、割込信号を送信したのはアナログ火災感知器４２−１であることを認識し、代表火災表示や火災発生地区を示す地区表示などを行うことができる。
【０１１５】
図１５は図８の受信機４０に設けた試験命令部５８が２台のアナログ火災感知器に並行して試験動作を行わせる場合のタイムチャートである。図１５にあっては、Ａ系統、Ｂ系統、Ｃ系統について時刻ｔ１で一斉に試験コマンドを送信しているが、例えばＡ系統を例にとると、最初に試験を開始させたアドレス１について、その試験終了以前に次のアドレス２の試験を開始しており、２台のアナログ火災感知器を並行して試験動作を行わせている。
【０１１６】
アドレス１とアドレス２の試験が終了すると、次にアドレス３の試験を開始し、アドレス３の試験が終了する前にアドレス４の試験を開始しており、この場合にもアドレス３とアドレス４の２台の火災感知器の試験が並行している。この点はＢ系統及びＣ系統についても同様である。これに対し図１２のタイムチャートの場合には、Ａ系統、Ｂ系統、Ｃ系統について４台のアナログ火災感知器の試験動作を並行させた場合ということができる。
【０１１７】
図１６は図１５のように同一系統につき２台のアナログ火災感知器の試験動作を並行させる場合の図８のＲ型の火災報知システムにおける試験動作のタイムチャートである。まず図１６（Ａ）に示すように、受信機４０は試験開始に伴いアドレス１及びアドレス２を指定した試験コマンド９０，９２を連続して発行する。
【０１１８】
アドレス１を指定した試験コマンド９０により図１６（Ｂ）のアナログ火災感知器４２−１で試験開始９１が行われ、アドレス２を指定した試験コマンド９２により図１６（Ｃ）のアナログ火災感知器４２−２で試験開始９３が行われる。なお実際の試験動作にあっては、試験コマンドに先立って割込禁止コマンドを送信するが、ここでは省略している。
【０１１９】
試験コマンド９０，９２によりアナログ火災感知器４２−１，４２−２で試験開始９１，９３が行われると、次の受信機４０からのサンプリングコマンド８０を受けてアナログ火災感知器４２−１〜４２−４で検出信号のＡＤ変換によるサンプリングが行われ、このサンプリングは試験開始９１，９３となったアドレス１，アドレス２のアナログ火災感知器４２−１，４２−２にあっては試験サンプリング９４−１，９４−２となる。
【０１２０】
続いて、アドレス１を指定したポーリングコマンド８２−１に対し、アナログ火災感知器４２−１が試験サンプリング９４−１で記憶保持している試験データを送信する試験応答９５−１を行う。次のアドレス２を指定したポーリングコマンド８２−２に対しては、アナログ火災感知器４２−２が試験応答９５−２を行う。以下、試験中におけるサンプリングコマンド８０とポーリングコマンド８２−１，８２−２，・・・による試験データのサンプリングと試験応答が繰り返されている。
【０１２１】
そして試験時間が経過してアドレス１のアナログ火災感知器４２−１において試験発報９６が判断されると、ポーリングコマンド８１−１に対し試験による発報応答９７−１を返す。またアドレス２のアナログ火災感知器４２−２で同様に試験発報９８が得られると、ポーリングコマンド８１−２に対し試験による発報応答９７−２を返す。
【０１２２】
続いて図１７に移行し、図１６の試験による発報応答９７−１，９７−２を受信した受信機４０は、アドレス１を指定した試験終了コマンド９８を送信し、アナログ火災感知器４２−１で試験終了９９となる。続いてアドレス２を指定した試験終了コマンド１００を送信し、アナログ火災感知器４２−２が同様に試験終了１０１となる。なお試験終了コマンド９８，１００については、同時に割込禁止解除コマンドを送信して割込信号の送信機能を回復しているが、これは省略している。
【０１２３】
このようにしてアドレス１，アドレス２の２台のアナログ火災感知器４２−１，４２−２の並行した試験動作が終了すると、次のサンプリングコマンド８０に続くタイミングで、アドレス３を指定した試験コマンド１０２とアドレス４を指定した試験コマンド１０４を送信し、２台のアナログ火災感知器４２−３，４２−４につき、試験開始１０３，１０５となって、並行した試験動作を同様にして行うことになる。
【０１２４】
図１８は図８に示した受信機４０の処理動作を示したフローチャートである。図１８において、受信機４０の電源を投入すると、ステップＳ１で初期設定が行われる。続いてステップＳ２で端末アドレスｎを最初のｎ＝１にセットする。続いてステップＳ３で作動試験か否かチェックする。この実施例にあっては、端末の作動試験は
（１）パワーオンスタート時、
（２）一定時間毎、例えば一日１回の定期試験、
（３）保守点検時の端末アドレスの指定による作動試験、
のいずれかが行われる。
【０１２５】
通常は作動試験でないことからステップＳ４に進み、アドレスｎ＝１を指定したポーリングコマンドの送信によるポーリングを行う。続いてステップＳ５で端末からの応答信号を受信し、応答信号のデータからステップＳ６で状態変化の有無をチェックする。もし状態変化があればステップＳ７に進み、試験中か否かチェックした後、ステップＳ８で状態変化の内容に応じた対応処理を行う。
【０１２６】
この対応処理は火災処理、障害処理などの各種の対応処理が含まれる。続いてステップＳ９で例えば１秒毎のサンプリングタイミングに達したか否かチェックし、もしサンプリングタイミングに達していればステップＳ１０でサンプリングコマンドを発行して、全端末に対し一斉にＡＤ変換による端末情報の収集処理を指令する。
【０１２７】
続いてステップＳ１１で最終端末アドレスか否かチェックし、最終端末アドレスでなければステップＳ２３で端末アドレスを１つインクリメントし、同様な処理を繰り返す。またステップＳ１１で最終端末アドレスであった場合にはステップＳ２に戻り、最初の端末アドレスからのポーリングを繰り返す。
【０１２８】
次にステップＳ３で試験が判別されるとステップＳ１２に進み、２つのアナログ火災感知器のアドレスを指定して割込禁止コマンドを発行する。割込禁止コマンドがアナログ火災感知器側で受信されると応答信号が返されてくることから、ステップＳ１３で応答受信を確認し、続いてステップＳ１４で応答に対する確認コマンド（ＡＣＫコマンド）を送信する。これによって割込禁止コマンドの送信処理を終了する。
【０１２９】
次にステップＳ１５で２つのアナログ火災感知器のアドレスを順次指定して試験コマンドを送信する。試験コマンドについてもステップＳ１６の端末応答の受信確認に基づくステップＳ１７の確認コマンドの発行を行う。
【０１３０】
試験コマンドを送信した後の試験データの収集は通常のポーリング処理を通じて行われる。即ち、試験コマンドの送信後にステップＳ４に進んで通常のポーリングを行い、ステップＳ５の応答信号の受信からステップＳ６で状態変化ありと判別した場合には、ステップＳ７で試験中か否かチェックする。
【０１３１】
試験中であればステップＳ１９で正常に試験作動したか否か判断し、試験発報が受信されて正常の試験動作が行われていればステップＳ２１で試験終了コマンドを送信し、続いてステップＳ２２で割込禁止解除コマンドを送信する。この試験終了コマンドおよび割込禁止解除コマンドの送信についても割込禁止コマンドや試験コマンドの場合と同様、端末からの応答受信に対する確認コマンドの発行が行われるが、フローチャートでは省略している。
【０１３２】
また、ステップＳ１９で試験発報が受信されずに試験作動が正常に行われなかった場合にはステップＳ２０に進み、端末故障処理により障害発生を表示する。尚、故障と判定されたアナログ火災感知器については修理交換等が済むまでポーリング対象から除外するようにしてもよい。
【０１３３】
図１９はアナログ火災感知器側の処理動作を示したフローチャートである。図１９において、電源投入が行われるとステップＳ１で初期設定が行われ、ステップＳ２で信号受信の有無を監視する。信号受信が行われるとステップＳ３でサンプリングコマンドか否かチェックし、サンプリングコマンドでなければステップＳ４でアドレス一致をチェックする。
【０１３４】
アドレス一致が得られるとステップＳ５でポーリングコマンドか否かチェックする。通常呼出時のポーリングコマンドであればステップＳ６でメモリにサンプリングによって保持されているデータを送信する。またステップＳ７で割込禁止コマンドであった場合にはステップＳ８に進み、割込禁止フラグＦＬをＦＬ＝１にセットし、割込送信機能を禁止する。
【０１３５】
ステップＳ９で割込禁止解除コマンドが判別されるとステップＳ１０で割込禁止フラグをＦＬ＝０にリセットする。ステップＳ１１で試験コマンドが判別されると、ステップＳ１２でアナログ火災感知器の作動試験を行う。さらにステップＳ１３で試験終了コマンドであればステップＳ１４で試験動作を終了する。
【０１３６】
一方、ステップＳ３でサンプリングコマンドが判別された場合にはステップＳ１５に進み、検出信号をＡＤ変換によりサンプリングしてメモリに保持する。続いてステップＳ１６でサンプリングデータから火災検出の有無を判断し、火災検出であればステップＳ１７で割込禁止フラグＦＬをチェックし、割込禁止フラグがＦＬ＝０とリセット状態にあればステップＳ１８に進み、割込信号を送信する。
【０１３７】
このとき作動試験による火災検出であれば、試験コマンドに先立って割込禁止コマンドにより割込禁止フラグがＦＬ＝１にセットされていることから、ステップＳ１６の割込信号の送信は行わない。
【０１３８】
なお上記のＲ型火災報知システムにおけるアナログ火災感知器からの割込信号については、通常の端末送信データを破壊するブレーク信号を送信しているが、ブレーク信号に限定されず、適宜の割込コード信号を使用してもよい。また上記の実施形態では、割込信号に続いて割込確認の呼出しを行って割込詳細情報を返送させているが、最初の割込コード信号に詳細情報を含めれば割込確認呼出しは不要である。
【０１３９】
また本発明は上記の実施形態に限定されず、その目的と利点を損なうことのない適宜の変形を含み、更に上記の実施形態に示した数値による限定は受けない。
【０１４０】
また、図１においては、火災信号送出用の感知器回線２と試験信号送出用の試験回線４が別線で構成しているが、これに限らず、試験信号も感知器回線２を使用して送出してもよい。例えば、図１の受信機の受信回路部６及び火災感知器はそれぞれ図８の伝送部５０及びアナログ火災感知器４２の呼出応答部４４、試験制御部４６の機能を備え、火災時には火災感知器３は感知器回線を略短絡させて火災信号を送出するようにし、試験時には受信機から感知器回線を介して端末特定の試験開始信号を火災感知器が受信することにより試験動作を行い、試験結果を感知器回線を使用して受信機に返信するようにしても良い。
【０１４１】
また、図８のＲ型システムにおいては、受信機から引き出された伝送線路４１にはアナログ火災感知器４２のみが接続されているが、これに限らず、火災時に感知器回線を短絡させて火災信号を送出するオンオフ型火災感知器が接続された感知器用中継器であっても良い。
【０１４２】
感知器用中継器は、内部に図１の受信機の試験命令部１４、受信回路部６や試験制御部７と同様のものが設けられ、受信回路部から感知器回線が引き出されてオンオフ型火災感知器が接続される。受信機４０から中継器に試験信号が送出されると、中継器は試験処理を行い、その結果を受信機に対して試験応答を行う。
【０１４３】
この中継器の試験処理は、火災感知器の状態にかかわらず、中継機内で試験状態にして、受信機に試験応答を行う構成でも良いが、火災感知器が図１のような試験機能のついた火災感知器の場合は、図１の受信機の動作同様に、中継器が特定の火災感知器、もしくは全ての火災感知器に対して順番に試験信号を送出し試験動作をさせ、その試験結果を中継器が受信機へ返信するような構成であっても良い。
【０１４４】
この場合に、中継器から複数の感知器回線が引き出されている場合には、図１の動作同様に中継器が複数の感知器回線に対して重複して試験を行うようにすれば、試験時間を短縮することができる。
【図面の簡単な説明】
【０１４５】
【図１】本発明が適用されたＰ型火災報知システムのブロック図
【図２】図１の自動試験機能付きの火災感知器の実施形態を示した回路ブロック図
【図３】図１の試験命令部による火災感知器の自動試験動作の実施形態のタイムチャート
【図４】図１の試験命令部による火災感知器の自動試験動作の他の実施形態のタイムチャート
【図５】図２の火災感知器に設けた点検回路による試験動作のタイムチャート
【図６】図１の受信機処理のフローチャート
【図７】図１の受信機における試験制御処理のフローチャート
【図８】本発明が適用されたＲ型火災報知システムのブロック図
【図９】図８の自動試験機能付きの火災感知器の実施形態を示した回路ブロック図
【図１０】図８の試験命令部によるアナログ火災感知器の自動試験動作の実施形態のタイムチャート
【図１１】図８の試験命令部によるアナログ火災感知器の自動試験動作の他の実施形態のタイムチャート
【図１２】図８の試験命令部によるアナログ火災感知器の自動試験動作の他の実施形態のタイムチャート
【図１３】図８の受信機とアナログ火災感知器における通常監視処理を示したタイムチャート
【図１４】図８の受信機とアナログ火災感知器における火災発生時の処理を示したタイムチャート
【図１５】図８において２台の火災感知器に並行して試験動作を行わせる実施形態のタイムチャート
【図１６】図８の受信機とアナログ火災感知器における試験処理を示したタイムチャート
【図１７】図１６に続く試験処理を示したタイムチャート
【図１８】図８の受信機処理のフローチャート
【図１９】図８の感知器処理のフローチャート
【図２０】従来の火災報知システムの概略を示した説明図
【図２１】従来の自動試験動作のタイムチャート
【符号の説明】
【０１４６】
１、４０：受信機
２−１〜２−３：感知器回線
３，３−１〜３−４：火災感知器
４：試験回線
５，４８：ＭＰＵ
６−１〜６−３：受信回路部
７−１〜７−３：試験制御部
８，５１：操作部
９，５２：警報表示部
１０，５３：地区表示部
１１，５４：移報出力部
１２，５５：メモリ
１３：受信制御部
１４，５８：試験命令部
１５：整流回路・ノイズ吸収回路
１６：スイッチング回路
１７：定電圧・電流制限回路
１８：制御回路部
１９：発振回路
２０，６９：発光素子
２１，７０：受光素子
２２，７１：増幅回路
２３：比較回路
２４：作動表示灯
２５：試験スイッチ部
２６，７２：試験用発光素子
２７：点検回路
２８，２９：スイッチ回路
３０：発報検出回路
３１：強制復旧回路
４１−１〜４１−３：伝送線
４２−１〜４２−４：アナログ火災感知器
４４：呼出応答部
４５：割込制御部
４６：試験制御部
５６：呼出制御部
５７：割込処理部
６０：発報表示灯回路
６１：整流回路
６２：ノイズ吸収回路
６３：伝送信号検出回路
６４：応答信号出力回路
６５：定電圧回路
６６：伝送制御回路
６７：アドレス種別設定回路
６８：発光駆動回路
【図１】
2006048211.tif 000003
【図２】
2006048211.tif 000004
【図３】
2006048211.tif 000005
【図４】
2006048211.tif 000006
【図５】
2006048211.tif 000007
【図６】
2006048211.tif 000008
【図７】
2006048211.tif 000009
【図８】
2006048211.tif 000010
【図９】
2006048211.tif 000011
【図１０】
2006048211.tif 000012
【図１１】
2006048211.tif 000013
【図１２】
2006048211.tif 000014
【図１３】
2006048211.tif 000015
【図１４】
2006048211.tif 000016
【図１５】
2006048211.tif 000017
【図１６】
2006048211.tif 000018
【図１７】
2006048211.tif 000019
【図１８】
2006048211.tif 000020
【図１９】
2006048211.tif 000021
【図２０】
2006048211.tif 000022
【図２１】
2006048211.tif 000023